(57)【要約】【課題】シリンダ３内より上方付勢状態で押し込み可能に突出するステム１７を有し、且つ該ステムを介して先端の噴出口１８とシリンダ３内とを連通させた上下動部材４を備え、上下動部材の上下動により装着した容器体Ｂ内の液を吸い上げて噴出口１８より噴出する如く構成したポンプであって、簡単な切替操作により異なる噴出量を現出することができるポンプを提案する。【解決手段】上記ステム１７の押し込み幅を変更するストローク変換機構を設けることにより、必要に応じてステム１７の押し込み幅が変化して液の噴出量を変更することができる如く構成した。【選択図】図２
2004060617.tif 000002
【特許請求の範囲】
【請求項１】
シリンダ３内より上方付勢状態で押し込み可能に突出するステム１７を有するとともに、該ステムを介して先端の噴出口１８とシリンダ３内とを連通させた上下動部材４を備え、上下動部材４の上下動により装着した容器体Ｂ内の液を吸い上げて噴出口１８より噴出する如く構成したポンプに於いて、上記ステム１７の押し込み幅を変更するストローク変換機構を設けてなることを特徴とするポンプ。
【請求項２】
上記ストローク変換機構が、ステム１７の突出する部分の周囲の壁部に回動可能に装着するとともに、レベルの異なる複数の係止段部ａ１…を上面に備えた回転筒２８と、上下動部材４外面に設けるとともに、上下動部材を押し下げた際に所定回動位置の上記各係止段部ａ１…のいずれか一つのレベルに当接する係合突部２９とで構成してなる請求項１記載のポンプ。
【請求項３】
上記各係止段部ａ１…を上記係合突部２９下方対応位置にそれぞれ係止させる係止手段を設け、該係止手段は、回転筒２８外面所定位置及び回転筒対向壁周面所定位置に、係合突起３２及び該係合突起を係止する係止突起３３及び係合突起３２が乗越え可能な仮止め突起３４配置してなる請求項２記載のポンプ。
【請求項４】
上記回転筒２８外面より摘み３０を突設してなる請求項２または請求項３のいずれかに記載のポンプ。
【請求項５】
容器体Ｂの口頸部６外周に嵌合させた装着筒７上端縁より内方へフランジ状頂板８を延設するとともに、頂板８内周縁より上方へ支持筒９を起立した装着筒部材２と、上記支持筒９内に上部を嵌着して下端を容器体Ｂ内に垂下したシリンダ３と、シリンダ内周に嵌合させた環状ピストン２０を下部外周に連係させたステム１７を支持筒９上方へ上方付勢状態で押し下げ可能に突設するとともに、ステム１７上部を前方へ屈折させてその先端部に噴出ノズル２１を嵌着した上下動部材４と、装着筒部材２の後部より立設した支持板１１の上端部に後端部を枢着して上下揺動可能にステムの上部両側へ一対の側板２３を延設するとともに、各側板２３前部より指掛け部２４を垂設し、且つ、側板２３内面の押圧突起２６をステム１７外面の係合突部２９に押し下げ可能に係合させたトリガー５と、上記支持筒９内上端部に下部を回動可能に嵌合させるとともに、レベルの異なる複数の係止段部ａ１…を上面に有し、且つ、外面より摘み３０を突設した回転筒２８とを備え、トリガーの引き込みにより押し下げられる係合突部２９が所定回動位置の各係止段部ａ１…のいずれか一つのレベルに当接する如く構成したことを特徴とするポンプ。
【発明の詳細な説明】
【０００１】
【発明の属する技術分野】
本発明はポンプに関する。
【０００２】
【従来の技術】
容器体に装着して使用するポンプとして、容器体内に下端部を垂下したシリンダより上方付勢状態で押し込み可能に突出するステムの先端に噴出ヘッドを嵌着した上下動部材を備え、また、シリンダ内には吸込み弁を、ステム内には吐出弁をそれぞれ設けて、上下動部材を上下動させることにより装着した容器体内の液を吸い上げてヘッドの噴出口より噴出する如く構成したものである。また、この種のポンプのうちでも縦型の押し下げヘッド式のもの或いはトリガー式のものなどが知られている。
【０００３】
前者は、垂直に延びるステムの上端に、前面に噴出口を開口した噴出ヘッドを嵌着して該ヘッドを押し下げることにより上下動部材を上下動させる如く構成している。また、後者の例として、ステムの上部を前方へ屈折させてその先端に噴出口を前面に開口した噴出ヘッドを嵌着し、別に装着キャップに対して揺動可能に連係させたトリガーを設けて、該トリガーとステムとを連係させたものが知られている。
【０００４】
これらポンプでは、液を棒状に噴出したり或いは噴出ヘッドの内部構造を特殊構成とすることにより霧状に噴出したりすることができ、或いは棒状と霧状とを切替可能に構成したものも使用されている。
【０００５】
【発明が解決しようとする課題】
従来のこの種のポンプでは、上記した如き棒状の噴出形態と霧状の噴出形態との切替が可能なものは知られているが、本発明では、簡単な切替操作により異なる噴出量を現出することができるポンプを提案するものである。
【０００６】
【課題を解決するための手段】
本請求項１発明のポンプは上記課題を解決するため、シリンダ３内より上方付勢状態で押し込み可能に突出するステム１７を有するとともに、該ステムを介して先端の噴出口１８とシリンダ３内とを連通させた上下動部材４を備え、上下動部材４の上下動により装着した容器体Ｂ内の液を吸い上げて噴出口１８より噴出する如く構成したポンプに於いて、上記ステム１７の押し込み幅を変更するストローク変換機構を設けてなることを特徴とするポンプとして構成した。
【０００７】
また、請求項２発明のポンプは、上記ストローク変換機構が、ステム１７の突出する部分の周囲の壁部に回動可能に装着するとともに、レベルの異なる複数の係止段部ａ１…を上面に備えた回転筒２８と、上下動部材４外面に設けるとともに、上下動部材を押し下げた際に所定回動位置の上記各係止段部ａ１…のいずれか一つのレベルに当接する係合突部２９とで構成してなる請求項１記載のポンプとして構成した。
【０００８】
また、請求項３発明のポンプは、上記各係止段部ａ１…を上記係合突部２９下方対応位置にそれぞれ係止させる係止手段を設け、該係止手段は、回転筒２８外面所定位置及び回転筒対向壁周面所定位置に、係合突起３２及び該係合突起を係止する係止突起３３及び係合突起３２が乗越え可能な仮止め突起３４配置してなる請求項２記載のポンプとして構成した。
【０００９】
また、請求項４発明のポンプは、上記回転筒２８外面より摘み３０を突設してなる請求項２または請求項３のいずれかに記載のポンプとして構成した。
【００１０】
また、請求項５発明のポンプは、容器体Ｂの口頸部６外周に嵌合させた装着筒７上端縁より内方へフランジ状頂板８を延設するとともに、頂板８内周縁より上方へ支持筒９を起立した装着筒部材２と、上記支持筒９内に上部を嵌着して下端を容器体Ｂ内に垂下したシリンダ３と、シリンダ内周に嵌合させた環状ピストン２０を下部外周に連係させたステム１７を支持筒９上方へ上方付勢状態で押し下げ可能に突設するとともに、ステム１７上部を前方へ屈折させてその先端部に噴出ノズル２１を嵌着した上下動部材４と、装着筒部材２の後部より立設した支持板１１の上端部に後端部を枢着して上下揺動可能にステムの上部両側へ一対の側板２３を延設するとともに、各側板２３前部より指掛け部２４を垂設し、且つ、側板２３内面の押圧突起２６をステム１７外面の係合突部２９に押し下げ可能に係合させたトリガー５と、上記支持筒９内上端部に下部を回動可能に嵌合させるとともに、レベルの異なる複数の係止段部ａ１…を上面に有し、且つ、外面より摘み３０を突設した回転筒２８とを備え、トリガーの引き込みにより押し下げられる係合突部２９が所定回動位置の各係止段部ａ１…のいずれか一つのレベルに当接する如く構成したことを特徴とするポンプとして構成した。
【００１１】
【発明の実施の形態】
以下、本発明の実施例の形態を図面を参照して説明する。
【００１２】
本発明のポンプＡは、容器体Ｂに装着して使用するもので、図示例の如きトリガータイプのものに限らず、縦型の押し下げヘッドタイプのものであっても良い。図示例に於いてポンプＡは、装着筒部材２と、シリンダ３と、上下動部材４と、トリガー５とを備えている。
【００１３】
装着筒部材２は、容器体Ｂの口頸部６外周に螺着した装着筒７の上端縁より内方へフランジ状の頂板８を延設するとともに、頂板８内周縁より上方へ支持筒９を立設しており、支持筒９内上部にはフランジ１０を突周設している。また、頂板８後部上面と支持筒９後面から後方斜め上方へ一対の支持板１１を立設し、各支持板１１の後縁部相互を連結板１２で連結している。
【００１４】
シリンダ３は、上部外周を上記支持筒９内に嵌着固定した有底筒状をなし、外周上下方向中間部に突設し且つ頂板８下面に嵌合させたフランジ部１３をパッキン１４を介して口頸部６上面に圧接している。また、シリンダ３内下端部には吸込み弁１５を設け、その下方には吸い上げ用のパイプ１６を嵌着している。
【００１５】
上下動部材４は、シリンダ３内より上方付勢状態で押し込み可能に突出するステム１７を有し、該ステム１７を介して先端の噴出口１８とシリンダ３内とを連通させ、また、その上下動により装着した容器体Ｂ内の液を吸い上げて噴出する如く構成したもので、図示例では、下方にコイルスプリング１９を介在させるとともに、シリンダ３内に摺動可能に嵌合させた環状ピストン２０をステム１７の下部外周に連係させている。また、支持筒９上方へ押し下げ可能に突設したステム１７の上部を前方へ屈折させてその先端部に噴出ノズル２１を嵌着し、その先端に噴出口１８を開口している。噴出ノズル２１内には公知の吐出弁及び噴霧機構を備えている。
【００１６】
トリガー５は、上記各支持板１１の上端部外面に後端部内面をそれぞれ枢着した一対の側板２３を上下揺動可能にステム１７の上部両側へ延設するとともに、各側板２３前部より指掛け部２４を垂設している。各側板２３の後縁及び後部上縁間には連結板部２５を掛け渡し、その下面を上記支持板１１間の連結板１２上面に当接係止させている。また、指掛け部２４は上面を噴出ノズル２１嵌合部分直後のステム１７下面に当接させた前板と、前板両側から後方へ延設して上端を上記各側板２３前部下面に一体に連結した横板とから構成した横断面コ字状をなしている。
【００１７】
また、上記各側板２３内面に突設した押圧突起２６をステム１７外面に突設した被押圧突起２７に押し下げ可能に連係している。図示例に於いて被押圧突起２７は、ステム１７の垂直部分両側上端部に突設した横円柱状をなしており、また、押圧突起２６は、各側板２３内面前後方向中間部下部に突設した横板状に構成している。
【００１８】
そして、指掛け部２４に指をかけてトリガー５を引き込むことにより押圧突起２６が被押圧突起２７押し下げ、ひいては上下動部材４を押し下げる。それによりシリンダ３内の液が加圧され、該加圧液が吐出弁を開いて噴出口１８より噴出する。また、トリガーの押圧を解除すると、コイルスプリング１９の上方付勢力により上下動部材４が上昇し、吸込み弁１５が開いて容器体Ｂ内の液がシリンダ３内に導入される。この際、被押圧突起２７が押圧突起２６を押し上げてトリガー５は元の状態に戻る。
【００１９】
本発明ではこの様なトリガー式ポンプに於いて、ステム１７の押し込み幅を変換するストローク変換機構を備えている。このストロール変換機構を備えることにより、上下動部材４の押し下げ幅を複数段階変化させることが出来るように構成して一回の液の噴出量を変化させることができる如く構成している。
【００２０】
本発明に於けるストローク変換機構は、ステム１７の突出する部分周囲の壁部に回動可能に装着するとともに、レベルの異なる複数の係止段部ａ１…を上面に備えた回転筒２８と、上下動部材４外面に設けるとともに、上下動部材４を押し下げた際に所定回動位置の上記各係止段部ａ１…のいずれか一つのレベルに当接する係合突部２９とで構成している。
【００２１】
レベルの異なる係止段部の数は複数であれば良く、敷設が可能な限り特に限定はなく、必要に応じて適宜その数を選択できる。但し、係止段部のレベルの一つが上下動部材４の押し下げ不能な状態で係合突部２９と当接する場合を除く。この場合にはこのレベルの外にレベルの異なる係止段部を複数設ける。従って、一番高いレベルの係止段部が係合突部２９と当接している場合には、その外に二種類以上のレベルの相違する係止段部を設ける必要がある。また、係止段部は同レベルのものが単数であっても複数であっても良く、係合突部２９の数等により適宜選択することができる。従って係合突部２９の数も単数であっても複数であっても係止段部ａ１…の構成にあわせて適宜選択すれば良い。
【００２２】
図示例では、係合突部２９を上記被押圧突起２７と兼用させており、即ち、ステム１７の垂直部分上部両側に一対の係合突部２９を突設している。また、回転筒２８は、ステム突出部分周囲の壁部としての上記支持筒９内に、下面を上記フランジ１０上面に当接させて回動可能に嵌合させている。この回転筒２８の上面には図４に示す如く三種類のレベルの係止段部ａ１，ａ２，ａ３がそれぞれ対向位置に各一対設けられている。
【００２３】
図５（ａ）に示す如く、一番高い係止段部ａ１が両側位置にある場合には、各係合突部２９が係止段部ａ１上に位置してトリガー５の引き込みを防止し、ひいてはステム１７の押し込みを防止する如く構成している。また、回転筒２８を６０度回動させると図５（ｂ）にある如く、各係合突部２９対向位置に二番目に高い各係止段部ａ２が位置し、そこまでの押し下げが可能となる。更に６０度回動させると図５（ｃ）の如く各係合突部２９対向位置に一番低い係止段部ａ３が位置し、そこまでの押し下げが可能となる。
【００２４】
回転筒２８には図示例の如く摘み３０を設けても良い。摘み３０の形状は種々採用できるが、図示例では回転筒２８外周上部より突設した棒状の連結片３１を介して支持筒９外面に内側縁を回動可能に嵌合させた板状の摘み３０を設けている。
【００２５】
また、回転筒２８には各係止段部ａ１…を上記係合突部２９下方対応位置にそれぞれ係止させる係止手段を設けても良い。この係止手段は、回転筒２８外面所定位置及び回転筒対向壁周面所定位置に、係合突起３２及び該係合突起３２を係止する係止突起３３及び係合突起３２が乗越え可能な仮止め突起３４を突設することにより構成している。係止突起３３は回転筒２８が所要の角度回転できる如くその領域を規制し、また、仮止め突起３４は係止段部の数に応じて領域内の係止必要点に設ける。また、係合突起３２は両係止突起３３間を相対的に回動し、仮止め突起３４とは一時的に係止され、より強い力を加えると回動突起３２が乗越えることができるものである。
【００２６】本実施例では、図４に示す如く、回転筒対向壁周面としての支持筒９内周上端部前部に係止突起３３を突設するとともに、該係止突起３３から約１２０度の間隔をあけた右側位置にもう一方の係止突起３３を突設する。また、各係止突起３３の中間部の約６０度離間位置に仮止め突起３４を突設している。一方、回転筒２８外面で、上記一方の係止突起３３に当接する位置に係合突起３２を突設しており、この状態で各係合突部２９の下方位置に一番高い係止段部ａ１が位置する如く構成している。
【００２７】
そして、各係止突起３３間を係合突起３２が回動可能に構成し、また、係合突起３２が仮止め突起３４と当接した際には上記図５（ｂ）　の状態の如く、各係合突部２９対向位置に二番目に高い各係止段部ａ２が位置し、手の感触でその位置が所定係止位置であることを判断でき、更に無理に回動させれば係合突起３２が仮止め突起３４を乗り越える。また、係合突起３２が他方の係止突起３３の位置まで回動して係止され、この際上記図５（ｃ）　の状態の如く、各係合突起２９対向位置に一番低い各係止段部ａ３が位置する。
【００２８】
【発明の効果】
以上説明した如く本発明のポンプは、既述構成としたことにより、異なる噴出量の噴出を現出できるものである。
【００２９】
また、回転筒２８と係合突部２９とでストローク変換機構を構成したものにあっては、回転筒２８を回転させるという簡単な操作により噴出量を変化させることができるものであり、また、回転筒はステム１７の周囲に装着しているため邪魔にならない等の利点を兼ね備える。
【００３０】
また、各係止段部ａ１…を係合突部２９下方対応位置にそれぞれ係止させる係止手段を設けたものにあっては、手の感触で噴出量の切替を行えるため、使用上すこぶる便利である。
【００３１】
また、回転筒２８外面より摘み３０を突設したものにあっては、回転筒の回転がより行い易く、その結果、噴出量の切替をより行い易くするものである。
【００３２】
また、請求項５発明のポンプは、トリガー５を引くことにより液の噴出を行えて噴出操作が容易であり、また、上記ポンプと同様に簡単な操作により噴出量を変化させることができるとともに、摘み３０を持ってのより容易な噴出量の切替を行えるものである。
【図面の簡単な説明】
【図１】本発明の一実施例を示す斜視図である。
【図２】同実施例の縦断面図である。
【図３】同実施例の要部拡大縦断面図である。
【図４】同実施例の回転筒部分を説明する説明図である。
【図５】同実施例の作用を説明する説明図である。
【符号の説明】
２…装着筒部材，３…シリンダ，４…上下動部材，５…トリガー，
６…口頸部，７…装着筒，８…頂板，９…支持筒，１１…支持板，
１７…ステム，１８…噴出口，２１…噴出ノズル，２３…側板，２４…指掛け部，
２６…押圧突起，２８…回転筒，２９…係合突部，３０…摘み，３２…係合突起，
３３…係止突起，３４…仮止め突起，Ｂ…容器体，ａ１，ａ２，ａ３…係止段部
【図１】
2004060617.tif 000003
【図２】
2004060617.tif 000004
【図３】
2004060617.tif 000005
【図４】
2004060617.tif 000006
【図５】
2004060617.tif 000007